(57)【要約】【課題】車輪の一部が台車本体の厚さ領域内に入り込むように軸支された搬送用台車の前記車輪の保守作業を容易に行えるようにする。【解決手段】車輪１７の一部が台車本体３の厚さ領域内に入り込むように軸支された搬送用台車であって、前記台車本体３には、前記車輪１７が遊嵌する開口部２６ａを備えた底板部２６と、前記車輪１７の上側を開閉できる開閉自在な床板部３５とが設けられ、この底板部２６上に着脱自在に載置固定された車輪支持板２１に、この車輪支持板２１に設けられた開口部２１ａと前記底板部２６の開口部２６ａとを上下に貫通する状態で前記車輪１７が軸支され、前記床板部３５を開くことにより、前記車輪１７を軸支している車輪支持板２１を台車本体３の上方に引き出せる構成。【選択図】図３
2006103484.tif 000002
【特許請求の範囲】
【請求項１】
ガイドレール上を転動する車輪が台車本体に、当該車輪の一部が台車本体の厚さ領域内に入り込むように軸支された搬送用台車であって、前記台車本体には、前記車輪が遊嵌する開口部を備えた底板部と、前記車輪の上側を開閉できる開閉自在な床板部とが設けられ、この底板部上に着脱自在に載置固定された車輪支持板に、この車輪支持板に設けられた開口部と前記底板部の開口部とを上下に貫通する状態で前記車輪が軸支され、前記床板部を開くことにより、前記車輪を軸支している車輪支持板を台車本体の上方に引き出せるように構成された、搬送用台車。
【請求項２】
前記台車本体が水平枠組み構造体とその上側に敷設された床板とを備え、前記水平枠組み構造体には、平面視において前記車輪を取り囲む矩形枠部が設けられ、この矩形枠部の上下に前記開閉自在な床板部と前記底板部とが配設されている、請求項１に記載の搬送用台車。
【請求項３】
前記開閉自在な床板部は、台車本体の上面と面一になるように前記矩形枠部の内側に嵌合支持され、台車本体の上面に敷設された可撓性のある床材が前記床板部の３辺に沿って切り込まれ、この切込みで囲まれた床材部分が前記床板部に固定されて、当該床板部の開閉用ヒンジを構成している、請求項２に記載の搬送用台車。
【請求項４】
前記車輪支持板には、前記車輪の他に前記ガイドレールを挟む位置決め用垂直軸ローラーが軸支されている、請求項１〜３の何れかに記載の搬送用台車。
【請求項５】
前記車輪支持板には、前記車輪の他に前記ガイドレール上面を清掃するスクレーパーが取り付けられている、請求項１〜４の何れかに記載の搬送用台車。
【請求項６】
前記底板部上に載置固定された車輪支持板の周辺の少なくとも対向２箇所に対して被さる補助部材が前記底板部上に着脱自在に取り付けられている、請求項１〜５の何れかに記載の搬送用台車。
【発明の詳細な説明】
【技術分野】
【０００１】
本発明は、ガイドレール上を転動する車輪が台車本体に、当該車輪の一部が台車本体の厚さ領域内に入り込むように軸支された低床型の搬送用台車に関するものである。
【背景技術】
【０００２】
搬送用台車を低床型にするために、ガイドレール上を転動する車輪を台車本体に、当該車輪の一部が台車本体の厚さ領域内に入り込むように軸支した搬送用台車は、例えば特許文献１などによって知られている。
【特許文献１】特開平５−１７０３２７号公報
【発明の開示】
【発明が解決しようとする課題】
【０００３】
しかしながら、この特許文献１に記載された構成からも明らかなように、従来のこの種の低床型搬送用台車の車輪支持構造は、単に車輪の一部が台車本体の厚さ領域内に入り込むように軸支されたものに過ぎず、台車本体の上側から簡単に車輪の様子、例えば周面の磨耗状況などを点検したり、この点検の結果、車輪の交換修理が必要になったときに台車本体の上側から車輪を取り外すことができるようにするための工夫は何ら成されていなかった。
【課題を解決するための手段】
【０００４】
本発明は上記のような従来の問題点を解消し得る搬送用台車を提供することを目的とするものであって、その手段を後述する実施形態の参照符号を付して示すと、ガイドレール６ａ，６ｂ上を転動する車輪１７が台車本体３に、当該車輪１７の一部が台車本体３の厚さ領域内に入り込むように軸支された搬送用台車であって、前記台車本体３には、前記車輪１７が遊嵌する開口部２６ａを備えた底板部２６と、前記車輪１７の上側を開閉できる開閉自在な床板部３５とが設けられ、この底板部２６上に着脱自在に載置固定された車輪支持板２１に、この車輪支持板２１に設けられた開口部２１ａと前記底板部２６の開口部２６ａとを上下に貫通する状態で前記車輪１７が軸支され、前記床板部３５を開くことにより、前記車輪１７を軸支している車輪支持板２１を台車本体３の上方に引き出せるように構成されたものである。
【０００５】
上記構成の本発明を実施するについて、具体的には請求項２に記載のように、前記台車本体３は、水平枠組み構造体１２とその上側に敷設された床板１３とを備えたものとし、前記水平枠組み構造体１２には、平面視において前記車輪１７を取り囲む矩形枠部２０を設け、この矩形枠部２０の上下に前記開閉自在な床板部３５と前記底板部２６とを配設することができる。この場合、請求項に記載３のように、前記開閉自在な床板部３５は、台車本体３の上面と面一になるように前記矩形枠部２０の内側に嵌合支持させ、台車本体３の上面に敷設された可撓性のある床材１４には、前記床板部３５の３辺に沿って切り込みを入れ、この切込み３７で囲まれた床材部分１４ａを前記床板部３５に固定して、当該床板部３５の開閉用ヒンジとなるように構成することができる。
【０００６】
また、請求項４に記載のように、前記車輪支持板２１には、前記車輪１７の他に前記ガイドレール６ａを挟む位置決め用垂直軸ローラー１８を軸支したり、請求項５に記載のように、前記ガイドレール６ａ，６ｂ上面を清掃するスクレーパー１９を取り付けておくことができる。
【０００７】
更に、請求項６に記載のように、前記底板部２６上に載置固定された車輪支持板２１の周辺の少なくとも対向２箇所に対して被さる補助部材３８，３９を前記底板部２６上に着脱自在に取り付けておくことができる。
【発明の効果】
【０００８】
上記構成の本発明によれば、車輪の一部が台車本体の厚さ領域内に入り込むように軸支された低床型の搬送用台車を得ることができるのであるが、特に本発明の構成によれば、車輪の周面は、当該車輪の上側に設けられている開閉自在な床板部を開く（取り外しも含む）ことにより、台車本体の上側から直視することができるので、車輪の摩耗程度の点検などが極めて容易に行える。しかも車輪の交換修理などが必要な場合も、開閉自在な床板部を開いた状態で車輪支持板と底板部との上下方向の結合を解き、当該車輪支持板をこれに軸支された車輪と共に台車本体の上方に引き上げるようにして取り外すことができる。即ち、車輪の点検、交換、修理などの全ての保守作業を台車本体の上側から簡単容易に行うことができるのである。
【０００９】
尚、請求項２に記載の構成によれば、台車本体の床板を支持する躯体としての水平枠組み構造体に、車輪ごとに必要最小限の大きさの矩形枠部を有せしめることにより、車輪の上側に設けられる開閉自在な床板部や車輪支持板を支持する底板部のサイズを最小限に小さくすることができ、床板部の開閉作業を容易にすると共に、車輪ごとに存在する矩形枠部と底板部とを水平枠組み構造体、延いては台車本体の強度を増大させることにも役立たせることができる。
【００１０】
また、請求項３に記載の構成によれば、台車本体の表面を平らに構成できると共に当該台車本体の表面を覆う床材により、台車本体の上での作業性を高めることができるのであるが、このための床材を車輪の保守作業のために剥がす必要がなく、車輪上側の開閉自在な床板部と一体になっている床材部分を開くだけで前記床板部も同時に開くことができるので、台車本体の表面が床材で覆われているものでありながら、台車本体の上側からの車輪の保守作業を容易且つ能率的に行える。しかも当該床材が前記開閉自在な床板部のヒンジを兼用するので、床板部を開閉自在に枢着する専用のヒンジを併用する場合と比較してコストを下げることができる。
【００１１】
また、請求項４に記載の構成によれば、前記車輪と共にガイドレールを挟む位置決め用垂直軸ローラーも一体に着脱することができ、請求項５に記載の構成によれば、前記車輪と共にガイドレール上面を清掃するスクレーパーも一体に着脱することができるので、これら位置決め用垂直軸ローラーやスクレーパーが併設されていることによって車輪の着脱作業に悪影響が及ぶことがなくなると共に、これら位置決め用垂直軸ローラーやスクレーパーに対する保守作業も台車本体の上側から簡単容易に行える。
【００１２】
尚、本発明によれば、底板部の上に車輪支持板を着脱自在に載置固定するものであるから、当該底板部と車輪支持板との結合は、上下方向の結合具、例えばボルトルナットで行われることになる。仮にこの上下方向の結合具が破断したような場合、或いは振動などで当該結合具の係合度が弛んだとき、台車本体に作用する積載荷重を含む重力によって車輪に対し台車本体が相対的に降下することになり、台車本体が傾いて荷崩れが生じるなど、大きな事故につながる恐れがある。そこで、請求項６に記載の構成を採用すれば、仮に上記のように底板部と車輪支持板とを結合するボルトナットなどの結合具が破断したり弛緩するような事態が生じても、底板部に対する車輪支持板の相対的な上昇移動を底板部上に取り付けられている一対の補助部材で抑止することができ、前記のような台車本体の不当な傾きに伴う荷崩れなどを未然に防止することができ、安全性も向上する。
【発明を実施するための最良の形態】
【００１３】
以下に本発明の具体的実施例を添付図に基づいて説明すると、図１及び図２において、１は搬送用台車であって、中央に昇降自在な荷支持台２を備えた台車本体３と、荷支持台２の前後２箇所で台車本体３に設けられたそれぞれ左右一対の車輪ユニット４ａ〜５ｂとから成り、これら車輪ユニット４ａ〜５ｂを介して台車本体３が走行経路に沿って敷設された左右一対のガイドレール６ａ，６ｂに支持され、当該ガイドレール６ａ，６ｂに沿って走行することができる。この実施形態での搬送用台車１の推進手段としては、台車本体３の走行方向と平行な一側面７ａに圧接し且つモーター８によって駆動される摩擦駆動輪９と、当該摩擦駆動輪９とは左右反対側の位置で台車本体３の走行方向と平行な他側面７ｂに当接するバックアップローラー１０とから成る摩擦駆動手段１１が使用されている。
【００１４】
台車本体３は、水平枠組み構造体１２とその上に敷設された床板１３、及びこの床板１３上に接着剤などで張設された可撓性のある滑り止め用床材１４から構成されている。水平枠組み構造体１２は、複数種類の太さの前後方向と左右方向の角パイプ材１５を格子状に互いに溶接して構成されたものであり、床板１３は、角パイプ材１５で囲まれた各矩形枠部ごとに分割され、当該各矩形枠部の内側に水平枠組み構造体１２の表面（角パイプ材１５の上面）と面一になる状態に嵌め込まれたものである。従って、角パイプ材１５で囲まれた矩形枠部の内側周辺や中間適当箇所には、分割された各床板１３の周辺や中間部を支持する床板支持材１６が配設されている。また、各床板１３は床板支持材１６に必要に応じてボルトなどで止着することができる。
【００１５】
各車輪ユニット４ａ〜５ｂの内、走行方向の左右一側に位置する車輪ユニット４ａ，５ａは、図３〜図５に示すように、ガイドレール６ａ上を転動する車輪１７と、この車輪１７の前後外側に隣接する位置でガイドレール６ａを左右両側から挟む左右一対の位置決め用垂直軸ローラー１８、及び位置決め用垂直軸ローラー１８よりも更に外側の位置でガイドレール６ａの上面を清掃するスクレーパー１９を備えている。また、詳細を示す図は省略しているが、走行方向の左右他側に位置する車輪ユニット４ｂ，５ｂは、前記車輪ユニット４ａ，５ａから位置決め用垂直軸ローラー１８を省いたものであるから、以下は、図３〜図５に示す車輪ユニット４ａを例にとって各車輪ユニット４ａ〜５ｂの構成を説明する。
【００１６】
前記のように台車本体３の水平枠組み構造体１２には、多数の矩形枠部が形成されているが、当該水平枠組み構造体１２の各車輪ユニット４ａ〜５ｂが配設される箇所には、図１に示すように、平面視において車輪１７を取り囲む、他の矩形枠部より平面サイズの小さな矩形枠部２０が前記角パイプ材１５によって構成されている。
【００１７】
図３〜図６に示すように、車輪ユニット４ａは、中央に矩形の開口部２１ａを有する車輪支持板２１の下側に左右一対の垂直向きの溝形材（軸受け部材）２２を、その底板部が互いに平行に対面するように固着突設すると共に、両溝形材２２の下端部に平面コ字形のスクレーパー支持板２３を車輪支持板２１と平行になるように固着し、車輪１７の周辺上部が車輪支持板２１の開口部２１ａから上方に突出すると共に車輪１７の周辺下部がスクレーパー支持板２３の切欠き凹部２３ａから下方に突出するように、車輪１７を左右一対の溝形材２２間に水平支軸２４により軸支したものである。左右一対の位置決め用垂直軸ローラー１８は、スクレーパー支持板２３の左右両側辺の下側に垂直支軸２５で軸支されると共に、スクレーパー１９は、スクレーパー支持板２３の先端部上に取付板１９ａを介して取り付けられている。
【００１８】
一方、前記水平枠組み構造体１２の矩形枠部２０は、その内側に車輪支持板２１がゆったりと入る程度のサイズのものであり、その内側下側には、水平板材が溶接により固着されて底板部２６が構成され、当該底板部２６には、その中央に矩形の開口部２６ａが設けられている。この底板部２６の開口部２６ａは、車輪ユニット４ａの車輪支持板２１から下側に突出する部分を当該車輪支持板２１を斜めにするなどして上から下方に通過させることができるが、当該車輪支持板２１よりも小さなサイズのものである。而して、車輪ユニット４ａの車輪支持板２１から下側に突出する部分を、矩形枠部２０内から底板部２６の開口部２６ａより下方に通過させて、車輪支持板２１の前後両端部を底板部２６の上に載置した状態で、この車輪支持板２１の前後両端部をそれぞれ左右一対のボルト２７，２８により底板部２６に着脱自在に固定している。
【００１９】
尚、車輪支持板２１の前後両端部上には、ボルト２７，２８の頭部側面に当接させるように折曲起立させることができる、左右一対のボルトに共通のボルト回り止め用帯状座金２９，３０がそれぞれ１本のリベット３１，３２により予め取り付けられている。また、車輪支持板２１の前後両端部と底板部２６との間には、図示のようにシムプレート３３，３４を必要に応じて介在させることができる。このシムプレート３３，３４は、底板部２６の表面側かまたは車輪支持板２１の前後両端部底面側に予め固着一体化しておくことができる。
【００２０】
上記のように水平枠組み構造体１２の矩形枠部２０内に取り付けられた車輪ユニット４ａは、その車輪１７のほぼ下半部が台車本体３の底面レベルよりも下方に突出する。而して当該車輪１７の周辺上部は、前記のように車輪支持板２１からは上方に突出するが、矩形枠部２０内から上方に突出しないで、この矩形枠部２０に合わせて分割された床板１３で構成された床板部３５を当該矩形枠部２０内に嵌め込むスペースが、車輪１７の上側に確保されている。床板部３５は、矩形枠部２０内の左右両側で底板部２６上にボルト３６で固定された溝形材利用の床板支持材１６で左右両側辺が支持されるものである。一方、図１に示すように、床板１３の上に張設された床材１４には、車輪ユニット４ａ〜５ｂの上に配置されている各床板部３５の３側辺に沿って切込み３７が入れられ、この切込み３７で囲まれた床材部分１４ａが前記床板部３５の表面に接着剤などで固着されることにより、図３Ｂに示すように、床板部３５を開閉するときの支点となるヒンジが前記床材１４によって構成されている。
【００２１】
以上のように矩形枠部２０内に取り付けられた車輪ユニット４ａに対して、図３及び図４に示すように、一対の補助部材３８，３９が併設されている。これら補助部材３８，３９は、底板部２６上にボルト２７，２８で車輪支持板２１を取り付けた後に、各２本のボルト２７及び２８の中間位置で車輪支持板２１の前後両端部上に水平張出板部３８ａ，３９ａが被さるように底板部２６上にボルト４０，４１により着脱自在に取り付けられるものである。この一対の補助部材３８，３９は、台車本体３に対する過積載や、車輪支持板２１を取り付けているボルト２７，２８の劣化などの原因で当該ボルト２７，２８が破断したため、或いはボルト回り止め用帯状座金２９，３０を併用していないときに振動などでボルト２７，２８が弛んだために、車輪支持板２１が底板部２６から浮き上がるように相対移動したとき、当該車輪支持板２１の前後両端部を一定以上の浮き上がりを水平張出板部３８ａ，３９ａで阻止し、安全を確保する。
【００２２】
以上のようにして台車本体３の各矩形枠部２０内に取り付けられた車輪ユニット４ａ〜５ｂは、その車輪１７の下半部が台車本体の底面レベルから下に突出するだけであるから、搬送用台車１を低床構造とすることに役立つ。そして各車輪ユニット４ａ〜５ｂを内装する矩形枠部２０を台車床面レベルで閉じている床板部３５を図３に仮想線で示すように開くことにより、車輪支持板２１の開口部２１ａから上方に突出している車輪１７の周面を直接視覚により観察することができ、当該車輪１７の周面磨耗程度の把握などが容易に行える。更に、車輪１７やスクレーパー１９の手元での点検・修理・交換や、車輪ユニット４ａ，５ａの場合の位置決め用垂直軸ローラー１８の手元での点検・修理・交換が必要な場合は、補助部材３８，３９を取り外した状態でボルト２７，２８を弛めて車輪支持板２１を底板部２６から取り外し、矩形枠部２０内から上方に引き上げることができる。点検・修理・交換後の車輪ユニット４ａ〜５ｂの取り付けは、上記取り外し時とは逆の手順で台車本体３の上側から容易に行える。
【００２３】
尚、各矩形枠部２０を床板１３のレベルで閉じる床板部３５は、当該矩形枠部２０内に引き上げ自在に嵌め込むだけでも良いし、ヒンジを利用して矩形枠部２０の一側辺に開閉自在に枢着しても良い。勿論、床材１４は、本発明に必須のものではない。
【図面の簡単な説明】
【００２４】
【図１】床材を一部切り欠いた状態での搬送用台車の平面図である。
【図２】Ａ図は搬送用台車の側面図、Ｂ図は搬送用台車の背面図である。
【図３】Ａ図は１つの車輪ユニット位置での縦断側面図、Ｂ図は同車輪ユニット位置での縦断背面図である。
【図４】１つの車輪ユニット位置での床板を省いた状態での平面図である。
【図５】１つの車輪ユニット位置での分解一部縦断側面図である。
【符号の説明】
【００２５】
１    搬送用台車
２    荷支持台
３    台車本体
４ａ〜５ｂ    車輪ユニット
６ａ，６ｂ    ガイドレール
１１    摩擦駆動手段
１２    水平枠組み構造体
１３    床板
１４    滑り止め用床材
１５    角パイプ材
１６    床板支持材
１７    車輪
１８    位置決め用垂直軸ローラー
１９    スクレーパー
２０    車輪ユニットごとの矩形枠部
２１    車輪支持板
２１ａ    車輪支持板の開口部
２２    溝形材（軸受け部材）
２３    スクレーパー支持板
２３ａ    スクレーパー支持板の切欠き凹部
２６    底板部
２６ａ    底板部の開口部
２９，３０    ボルト回り止め用帯状座金
３３，３４    シムプレート
３５    床板部（床板１３）
３７    床材の切込み
３８，３９    補助部材
【図１】
2006103484.tif 000003
【図２】
2006103484.tif 000004
【図３】
2006103484.tif 000005
【図４】
2006103484.tif 000006
【図５】
2006103484.tif 000007